【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）から第１のメッセージを受信することと、前記ＵＥは、前記ＵＥをページングするために使用する第１の不連続受信（ＤＲＸ）サイクルと、前記ＵＥをページングするために使用する第２のＤＲＸサイクルとを有し、前記第１のＤＲＸサイクルは前記第２のＤＲＸサイクルよりも長く、
前記ＵＥが前記第２のＤＲＸサイクルを無視することができるかまたは考慮すべきであるかの指示を判断することと、
前記指示を備える第２のメッセージを前記ＵＥに送信することと、
前記第２のＤＲＸサイクルを無視することができるかまたは考慮すべきであるかの少なくとも一部に基づいて、前記第１のサイクル又は第２のサイクルを使用してページングを前記ＵＥに送信することとを備える、ワイヤレス通信のための方法。
【請求項２】
前記第１のＤＲＸサイクルが、特に前記ＵＥのために使用され、前記第２のＤＲＸサイクルが、第２のネットワークのカバレージ内のすべての前記ＵＥのために使用され、前記第１のネットワークがコアネットワークであり、前記第２のネットワークが無線アクセスネットワーク（ＲＡＮ）である、請求項１に記載の方法。
【請求項３】
前記第１のメッセージがネットワークによって受信され、前記第２のメッセージが前記ネットワークによって送信される、請求項１に記載の方法。
【請求項４】
ユーザ機器（ＵＥ）から第１のメッセージを受信するための手段と、前記ＵＥは、前記ＵＥをページングするために使用する第１の不連続受信（ＤＲＸ）サイクルと、前記ＵＥをページングするために使用する第２のＤＲＸサイクルとを有し、前記第１のＤＲＸサイクルは前記第２のＤＲＸサイクルよりも長く、
前記ＵＥが前記第２のＤＲＸサイクルを無視することができるかまたは考慮すべきであるかの指示を判断するための手段と、
前記指示を備える第２のメッセージを前記ＵＥに送信するための手段と、
前記第２のＤＲＸサイクルを無視することができるかまたは考慮すべきであるかの少なくとも一部に基づいて、前記第１のサイクル又は第２のサイクルを使用してページングを前記ＵＥに送信するための手段とを備える、ワイヤレス通信のための装置。
【請求項５】
提案された第１の不連続受信（ＤＲＸ）サイクルをユーザ機器（ＵＥ）から送信することと、
前記提案されたＤＲＸサイクルが受け付けられるかまたは受け付けられないかの指示を受信することと、
前記ＵＥをページングするために使用される第２の前記ＤＲＸサイクルを判断することと、
１つ以上の前記指示及び前記第２のＤＲＸサイクルの少なくとも一部に基づいて、ページングを受信するために前記ＵＥによって使用される前記ＤＲＸサイクルを判断することと、
前記ＵＥによって使用されると決定された前記ＤＲＸサイクルに基づいて、ページングを受信することとを備える、ワイヤレス通信のための方法。
【請求項６】
前記第１のＤＲＸサイクルが、特に前記ＵＥのために使用され、前記第２のＤＲＸサイクルが、第２のネットワークのカバレージ内のすべての前記ＵＥのために使用され、前記第１のネットワークがコアネットワークであり、前記第２のネットワークが無線アクセスネットワーク（ＲＡＮ）である、請求項５に記載の方法。
【請求項７】
前記ＵＥが使用すべき前記ＤＲＸサイクルは、前記提案されたＤＲＸサイクルが受け付けられない場合、前記第２のＤＲＸサイクルである、請求項５に記載の方法。
【請求項８】
前記ＵＥが使用すべき前記ＤＲＸサイクルは、前記提案されたＤＲＸサイクルが受け付けられた場合、前記提案されたＤＲＸサイクルに基づいて判断される、請求項５に記載の方法。
【請求項９】
前記指示を前記受信することが、受け付けられたＤＲＸサイクルを受信することを備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項５に記載の方法。
【請求項１０】
前記指示を前記受信することが、前記提案されたＤＲＸサイクルについてのフィードバックを受信しないことを備え、前記フィードバックがないことは、前記提案されたＤＲＸサイクルが受け付けられないことを暗黙的に示す、請求項５に記載の方法。
【請求項１１】
提案された不連続受信（ＤＲＸ）サイクルをユーザ機器（ＵＥ）から送信するための手段と、
前記提案されたＤＲＸサイクルが受け付けられるかまたは受け付けられないかの指示を受信するための手段と、
前記ＵＥをページングするために使用される第２の前記ＤＲＸサイクルを決定する手段と、
１つ以上の指示及び前記第２のＤＲＸサイクルの少なくとも一部に基づいて、ページングを受信するために前記ＵＥによって使用される前記ＤＲＸサイクルを判断する手段と、
前記ＵＥによって使用されると決定された前記ＤＲＸサイクルに基づいて、ページングを受信する手段とを備える、ワイヤレス通信のための装置。
【請求項１２】
前記ＵＥが使用すべき前記ＤＲＸサイクルは、前記提案されたＤＲＸサイクルが受け付けられない場合、前記第２のＤＲＸサイクルである、請求項１１に記載の装置。
【請求項１３】
前記ＵＥが使用すべき前記ＤＲＸサイクルは、前記提案されたＤＲＸサイクルが受け付けられた場合、前記提案されたＤＲＸサイクルに基づいて判断される、請求項１１に記載の装置。
【請求項１４】
前記指示を前記受信するための手段が、受け付けられたＤＲＸサイクルを受信するための手段を備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項１１に記載の装置。
【請求項１５】
ユーザ機器（ＵＥ）から第１のメッセージを受信し、前記ＵＥは、前記ＵＥをページングするために使用する第１の不連続受信（ＤＲＸ）サイクルと、前記ＵＥをページングするために使用する第２のＤＲＸサイクルとを有し、前記第１のＤＲＸサイクルは前記第２のＤＲＸサイクルよりも長く、
前記ＵＥが前記第２のＤＲＸサイクルを無視することができるかまたは考慮すべきであるかの指示を判断し、
前記指示を備える第２のメッセージを前記ＵＥに送信し、
前記第２のＤＲＸサイクルを無視することができるかまたは考慮すべきであるかの少なくとも一部に基づいて、前記第１のサイクル又は第２のサイクルを使用してページングを前記ＵＥに送信する
ように構成された少なくとも１つのプロセッサと、
前記少なくとも１つのプロセッサと結合したメモリと
を備えるワイヤレス通信のための装置。
【請求項１６】
前記第１のＤＲＸサイクルが、特に前記ＵＥのために使用され、前記第２のＤＲＸサイクルが、第２の前記ネットワークのカバレージ内のすべての前記ＵＥのために使用され、前記第１のネットワークがコアネットワークであり、前記第２のネットワークが無線アクセスネットワーク（ＲＡＮ）である、請求項１５に記載の装置。
【請求項１７】
前記第１のメッセージがネットワークによって受信され、前記第２のメッセージが前記ネットワークによって送信される、請求項１５に記載の装置。
【請求項１８】
提案された第１の不連続受信（ＤＲＸ）サイクルをユーザ機器（ＵＥ）から送信し、
前記提案されたＤＲＸサイクルが受け付けられるかまたは受け付けられないかの指示を受信し、
前記ＵＥをページングするために使用される第２の前記ＤＲＸサイクルを判断し、
１つ以上の指示及び前記第２のＤＲＸサイクルの少なくとも一部に基づいて、ページングを受信するために前記ＵＥによって使用される前記ＤＲＸサイクルを判断し、
前記ＵＥによって使用されると決定された前記ＤＲＸサイクルに基づいて、ページングを受信する
ように構成された少なくとも１つのプロセッサと、
前記少なくとも１つのプロセッサと結合したメモリと
を備える、ワイヤレス通信のための装置。
【請求項１９】
前記第１のＤＲＸサイクルが、特に前記ＵＥのために使用され、前記第２のＤＲＸサイクルが、第２のネットワークのカバレージ内のすべての前記ＵＥのために使用され、前記第１のネットワークがコアネットワークであり、前記第２のネットワークが無線アクセスネットワーク（ＲＡＮ）である、請求項１８に記載の装置。
【請求項２０】
前記ＵＥが使用すべき前記ＤＲＸサイクルは、前記提案されたＤＲＸサイクルが受け付けられない場合、前記第２のＤＲＸサイクルである、請求項１８に記載の装置。
【請求項２１】
前記ＵＥが使用すべき前記ＤＲＸサイクルは、前記提案されたＤＲＸサイクルが受け付けられた場合、前記提案されたＤＲＸサイクルに基づいて判断される、請求項１８に記載の装置。
【請求項２２】
前記指示を前記受信することが、受け付けられたＤＲＸサイクルを受信することを備え、前記受け付けられたＤＲＸサイクルは、前記提案されたＤＲＸサイクルが、前記受け付けられたＤＲＸサイクルに一致する場合、受け付けられたことを暗黙的に示し、前記提案されたＤＲＸサイクルが、前記受け付けられたＤＲＸサイクルとは異なる場合、受け付けられないことを暗黙的に示し、前記ＵＥが使用すべき前記ＤＲＸサイクルが、前記受け付けられたＤＲＸサイクルに基づいて判断される、請求項１８に記載の装置。
【請求項２３】
前記指示を前記受信することが、前記提案されたＤＲＸサイクルについてのフィードバックを受信しないことを備え、前記フィードバックがないことは、前記提案されたＤＲＸサイクルが受け付けられないことを暗黙的に示す、請求項１８に記載の装置。